【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
無線ローカルエリアネットワークにおいてネットワーク割り当てベクトルを設定する方法であって、
第１のチャネル情報を用いることによって、目標ステーションが、ソースステーションからｒｅｑｕｅｓｔ  ｔｏ  ｓｅｎｄ（ＲＴＳ）フレームを受信することであって、前記第１のチャネル情報は、前記ＲＴＳフレームを受信するために使用されるチャネル幅を示す、ことと、
前記目標ステーションのネットワーク割り当てベクトルがアイドルを示す場合に、前記目標ステーションが動作チャネルを決定することであって、前記動作チャネルは、複数のサブチャネルの中の少なくとも１つのアイドルサブチャネルを含む、ことと、
前記目標ステーションのネットワーク割り当てベクトルがアイドルを示す場合に、前記ＲＴＳフレームの応答として、第２のチャネル情報を用いることによって、前記目標ステーションがｃｌｅａｒ  ｔｏ  ｓｅｎｄ（ＣＴＳ）フレームを前記ソースステーションに送信することであって、前記第２のチャネル情報は、前記動作チャネルのチャネル幅を示す、ことと
を含み、前記動作チャネルのチャネル幅は、前記ＲＴＳフレームを受信するために使用されるチャネル幅以下である、方法。
【請求項２】
前記目標ステーションのネットワーク割り当てベクトルがアイドルを示さない場合に、前記目標ステーションが前記ＣＴＳフレームに応答しない、請求項１に記載の方法。
【請求項３】
前記ＲＴＳフレームを受信するために使用されるチャネル幅は、２０ＭＨｚ以上である、請求項１に記載の方法。
【請求項４】
前記目標ステーションが、無線媒体がビジーであることを感知するか否かにかかわらず、前記目標ステーションのネットワーク割り当てベクトルが、前記無線媒体上の送信が前記目標ステーションによって開始されない時間期間を示すために使用されない、請求項１に記載の方法。
【請求項５】
無線ローカルエリアネットワークにおいてネットワーク割り当てベクトルを設定する無線装置であって、前記無線装置は、プロセッサを備え、前記プロセッサは、
第１のチャネル情報を用いることによって、ソースステーションから、ｒｅｑｕｅｓｔ  ｔｏ  ｓｅｎｄ（ＲＴＳ）フレームを受信することであって、前記第１のチャネル情報は、前記ＲＴＳフレームを受信するために使用されるチャネル幅を示す、ことと、
前記目標ステーションのネットワーク割り当てベクトルがアイドルを示す場合に、動作チャネルを決定することであって、前記動作チャネルは、複数のサブチャネルの中の少なくとも１つのアイドルサブチャネルを含む、ことと、
前記無線装置のネットワーク割り当てベクトルがアイドルを示す場合に、前記ＲＴＳフレームの応答として、第２のチャネル情報を用いて、ｃｌｅａｒ  ｔｏ  ｓｅｎｄ（ＣＴＳ）フレームを前記ソースステーションに送信することであって、前記第２のチャネル情報は、前記動作チャネルのチャネル幅を示す、ことと
を行うように構成され、前記動作チャネルのチャネル幅は、前記ＲＴＳフレームを受信するために使用されるチャネル幅以下である、無線装置。
【請求項６】
前記無線装置のネットワーク割り当てベクトルがアイドルを示さない場合に、前記プロセッサは、前記ＣＴＳフレームに応答しないように構成される、請求項５に記載の無線装置。
【請求項７】
前記ＲＴＳフレームを受信するために使用されるチャネル幅は、２０ＭＨｚ以上である、請求項５に記載の無線装置。
【請求項８】
前記無線装置が、無線媒体がビジーであることを感知するか否かにかかわらず、前記無線装置のネットワーク割り当てベクトルが、前記無線媒体上の送信が前記無線装置によって開始されない時間期間を示すために使用されない、請求項５に記載の無線装置。
【請求項９】
無線ローカルエリアネットワークにおいてネットワーク割り当てベクトルを設定する無線装置であって、前記無線装置は、プロセッサを備え、前記プロセッサは、
第１のチャネル情報を用いることによって、ｒｅｑｕｅｓｔ  ｔｏ  ｓｅｎｄ（ＲＴＳ）フレームを目標ステーションに送信することであって、前記第１のチャネル情報は、前記ＲＴＳフレームを送信するために使用されるチャネル幅を示す、ことと、
前記無線装置のネットワーク割り当てベクトルがアイドルを示す場合に、前記ＲＴＳフレームの応答として、第２のチャネル情報を用いて、ｃｌｅａｒ  ｔｏ  ｓｅｎｄ（ＣＴＳ）フレームを前記目標ステーションから受信することであって、前記第２のチャネル情報は、動作チャネルのチャネル幅を示し、前記動作チャネルは、複数のサブチャネルの中の少なくとも１つのアイドルサブチャネルを含む、ことと
を行うように構成され、前記動作チャネルのチャネル幅は、前記ＲＴＳフレームを送信するために使用されるチャネル幅以下である、無線装置。
【請求項１０】
前記ＲＴＳフレームを送信するために使用されるチャネル幅は、２０ＭＨｚ以上である、請求項９に記載の無線装置。
【手続補正２】
【補正対象書類名】明細書
【補正対象項目名】００２２
【補正方法】変更
【補正の内容】
【００２２】
本発明の他の態様によると、複数のサブチャネルで構成された結合チャネルを使用するＶＨＴシステムにおけるチャネル接続方法において、受信されたＲＴＳ（Ｒｅｑｕｅｓｔ  Ｔｏ  Ｓｅｎｄ）フレームに対する応答として、目標ステーションが受信ステーションに送信するＣＴＳ（Ｃｌｅａｒ  Ｔｏ  Ｓｅｎｄ）フレームは、前記複数のサブチャネルのうち前記ソースステーションが前記目標ステーションへの後続フレームの送信に使用することを許可するサブチャネルの目録を含む。
例えば、本発明は以下の項目を提供する。
（項目１）
複数のサブチャネルで構成された結合チャネルを使用するＶＨＴシステムにおけるチャネル接続メカニズムにおいて、
一つまたは複数のソースステーションの各々は、上記複数のサブチャネルの中から選択された任意のサブチャネルを介してＲＴＳ（Ｒｅｑｕｅｓｔ  Ｔｏ  Ｓｅｎｄ）フレームを目標ステーションに送信する段階；
受信された上記ＲＴＳフレームに対する応答として、上記目標ステーションは、上記結合チャネルを介して上記複数のソースステーションの中から選択された一つのソースステーションにＣＴＳ（Ｃｌｅａｒ  Ｔｏ  Ｓｅｎｄ）フレームを送信する段階；
を含むチャネル接続メカニズム。
（項目２）
上記選択されたソースステーションは、上記結合チャネルを介して上記目標ステーションにデータフレームを送信する段階をさらに含むことを特徴とする項目１に記載のチャネル接続メカニズム。
（項目３）
上記目標ステーションは、上記結合チャネルの全体にわたったり、或いは上記結合チャネルを構成する複数のサブチャネル別に上記ＣＴＳフレームを送信することを特徴とする項目１に記載のチャネル接続メカニズム。
（項目４）
上記目標ステーションは、上記選択されたソースステーションが使用したサブチャネルを介して上記ＣＴＳフレームを送信することを特徴とする項目１に記載のチャネル接続メカニズム。
（項目５）
複数のサブチャネルで構成された結合チャネルを使用するＶＨＴシステムにおけるチャネル接続メカニズムにおいて、
ソースステーションは、上記複数のサブチャネル別にＲＴＳ（Ｒｅｑｕｅｓｔ  Ｔｏ  Ｓｅｎｄ）フレームを目標ステーションに送信する段階；及び
上記目標ステーションは、上記ＲＴＳフレームが成功的に受信されたサブチャネルを介して上記ソースステーションにＣＴＳ（Ｃｌｅａｒ  Ｔｏ  Ｓｅｎｄ）フレームを送信する段階；
を含むことを特徴とするチャネル接続メカニズム。
（項目６）
上記ソースステーションは、上記ＣＴＳフレームが受信されたサブチャネルを介して上記目標ステーションにデータフレームを送信する段階をさらに含むことを特徴とする項目５に記載のチャネル接続メカニズム。
（項目７）
複数のサブチャネルで構成された結合チャネルを使用するＶＨＴシステムにおけるチャネル接続メカニズムにおいて、
一つまたは複数のソースステーションの各々は、上記複数のサブチャネルの中から選択された任意のサブチャネルを介してＲＴＳ（Ｒｅｑｕｅｓｔ  Ｔｏ  Ｓｅｎｄ）フレームを目標ステーションに送信する段階；
受信された上記ＲＴＳフレームに対する応答として、上記目標ステーションは、上記ＲＴＳフレームが受信されたサブチャネルを介して上記一つまたは複数のソースステーションにＣＴＳ（Ｃｌｅａｒ  Ｔｏ  Ｓｅｎｄ）フレームを送信する段階；
を含み、
上記ＣＴＳフレームは、これを受信する上記ソースステーションが後続フレームの送信に使用するサブチャネルの目録を含むことを特徴とするチャネル接続メカニズム。
（項目８）
複数のサブチャネルで構成された結合チャネルを使用するＶＨＴシステムにおけるチャネル接続メカニズムにおいて、
ソースステーションは、上記複数のサブチャネルの中から任意のサブチャネルを使用したり、或いは上記複数のサブチャネル別にＲＴＳ（Ｒｅｑｕｅｓｔ  Ｔｏ  Ｓｅｎｄ）フレームを目標ステーションに送信することを特徴とするチャネル接続メカニズム。
（項目９）
上記ＲＴＳフレームに対する応答として、上記目標ステーションは、上記複数のサブチャネルのうち任意のサブチャネルを使用したり、或いは上記結合チャネルの全体にわたってＣＴＳ（Ｃｌｅａｒ  Ｔｏ  Ｓｅｎｄ）フレームを上記ソースステーションに送信することを特徴とする項目８に記載のチャネル接続メカニズム。
（項目１０）
複数のサブチャネルで構成された結合チャネルを使用するＶＨＴシステムにおけるチャネル接続メカニズムにおいて、
ソースステーションが目標ステーションに送信するＲＴＳ（Ｒｅｑｕｅｓｔ  Ｔｏ  Ｓｅｎｄ）フレームは、上記複数のサブチャネルのうち上記ソースステーションが上記目標ステーションへの後続フレームの送信に使用することを所望するサブチャネルの目録を含むことを特徴とするチャネル接続メカニズム。
（項目１１）
複数のサブチャネルで構成された結合チャネルを使用するＶＨＴシステムにおけるチャネル接続メカニズムにおいて、
受信されたＲＴＳ（Ｒｅｑｕｅｓｔ  Ｔｏ  Ｓｅｎｄ）フレームに対する応答として、目標ステーションが受信ステーションに送信するＣＴＳ（Ｃｌｅａｒ  Ｔｏ  Ｓｅｎｄ）フレームは、上記複数のサブチャネルのうち上記ソースステーションが上記目標ステーションへの後続フレームの送信に使用することを許可するサブチャネルの目録を含むことを特徴とするチャネル接続メカニズム。